(57)【要約】【課題】カッタや柄付き部材等の他部材を柄にして使用することを可能ならしめ、シート施工の効率化、低価格化、使い勝手の向上等を図った回転ベラを提供する。【解決手段】外周を山形にして箆の機能を持たせたローラ２と、そのローラ２を回転可能に片持ち支持する支持プレート４と、その支持プレートの取り付け部７に貫通して設けられたネジ孔６にねじ込む止めネジ５とを備えさせて回転ベラ１を構成し、取り付け部７を止めネジ５でカッタ１０等の他部材に固定し、他部材を柄にして使用するものにした。【選択図】図４
2004216869.tif 000002
【特許請求の範囲】
【請求項１】
シートを型付けするローラ又は押さえ付けるローラと、そのローラを回転可能に支持する支持プレートと、その支持プレートの取り付け部に貫通して設けられたネジ孔にねじ込む止めネジとを備え、前記支持プレートの取り付け部を止めネジで他部材に固定し、他部材を柄にして使用するようにしたシート施工用ローラ。
【請求項２】
前記ローラを１枚の支持プレートで片持ち支持するようにした請求項１に記載のシート施工用ローラ。
【請求項３】
前記ローラの中心の穴にローラの支軸となすスリーブを挿通し、このスリーブの一端を前記支持プレートを貫通してスリーブにねじ込まれるネジで支持プレートの裏面に固定すると共に、前記ネジの頭部を当接させる支持プレートの表面と、前記スリーブの端面を当接させる支持プレートの裏面にそれぞれ凹凸を形成した請求項１又は２に記載のシート施工用ローラ。
【請求項４】
前記スリーブの他端に、ローラを抜け止めするリム板をそのリム板を貫通してスリーブにねじ込まれるネジで固定して取り付けると共に、前記ネジの頭部を当接させるリム板の表面と、前記スリーブの他端を当接させるリム板の裏面にそれぞれ凹凸を形成した請求項１乃至３のいずれかに記載のシート施工用ローラ。                                  
【請求項５】
前記凹凸によって、支持プレート又はリム板の裏面に対するスリーブ端の接触部と、支持プレート又はリム板の表面に対する前記ネジの頭部の接触部に前記スリーブの内外を連通させる隙間が形成されるようにした請求項３又は４に記載のシート施工用ローラ。
【請求項６】
前記支持プレートの取り付け部に、溝に対する差込み部とこの差込み部よりも幅の広い非差込み部を形成し、この差込み部と非差込み部の境界部の上下面に段差を生じさせた請求項１乃至５のいずれかに記載のシート施工用ローラ。
【請求項７】
前記他部材が、柄を兼ねたホルダにそのホルダの後部に入口を有するＴスロットを設けてそのＴスロットに刃を収納し、その刃をスライダでホルダ先端から出没させるカッタであり、このカッタのＴスロットの入口部に前記支持プレートの取り付け部を差込み、前記ネジ孔にねじ込んでＴスロットの溝底に当接させる止めネジで取り付け部をＴスロットの開口縁に圧接させてカッタに取り付けるようにした請求項１乃至６のいずれかに記載のシート施工用ローラ。
【請求項８】
前記他部材が柄付き部材であり、この柄付き部材の柄にあけた孔に前記止めネジを通し、その止めネジを前記柄に添わせた支持プレートの取り付け部のネジ孔にねじ込み、支持プレートを回り止めして柄付き部材の柄に取り付けるようにした請求項１乃至７のいずれかに記載のシート施工用ローラ。
【発明の詳細な説明】
【技術分野】
【０００１】
この発明は、壁紙、壁クロスに代表される室内装飾シート等の施工時に使用するシート施工用ローラに関する。
【背景技術】
【０００２】
壁紙などの室内装飾シートを施工する場合、施工面のコーナ部ではシートをコーナに添ってきっちりと折り曲げるために箆が使用される。
【０００３】
その箆は、古くは竹箆などが使用されていたが、最近では作業性に優れる回転ベラが多用される傾向にある。その回転ベラは、柄の先端に外周を山形にして箆の機能を持たせたローラを取り付けたものであり、一体の柄を有するものが市販され、シート施工に携わる職人にとって欠かせない道具になっている。
【発明の開示】
【発明が解決しようとする課題】
【０００４】
シート施工に携わる職人は回転ベラのほかにシートの余縁をトリミングするカッタ、トリミングガイド、回転ベラでは作業し難い狭所の型付けに使用するローラの無い角箆、糊刷毛、空気抜き用の撫で刷毛、シート押さえ込み用のローラなど数多くの道具を使い分けて作業を進めるが、作業効率（交換の手間）を考えれば使用する道具の数は少ないほどよい。
【０００５】
ところが、従来の回転ベラは、一体の柄を有する専用の道具となっており、道具の数を減らす要求に応えることができなかった。また、柄を設けた分高価になるという問題もあった。
【０００６】
この発明は、この問題を解決した回転ベラに代表されるシート施工用ローラを提供しようとするものである。
【課題を解決するための手段】
【０００７】
上記の課題を解決するため、この発明においては、シートを型付けするローラ又は押さえ付けるローラと、そのローラを回転可能に支持する支持プレートと、その支持プレートの取り付け部に貫通して設けられたネジ孔にねじ込む止めネジとを備え、前記支持プレートの取り付け部を止めネジで他部材に固定し、他部材を柄にして使用するようにしたシート施工用ローラを提供する。
【０００８】
かかるシート施工用ローラは、前記ローラを１枚の支持プレートで片持ち支持するタイプのものと、２枚の支持プレート間にローラを配置して両持ち支持するタイプのものが考えられる。
【０００９】
このシート施工用ローラは、前記ローラの中心の穴にローラの支軸となすスリーブを挿通し、このスリーブの一端を前記支持プレートを貫通してスリーブにねじ込まれるネジで支持プレートの裏面に固定する場合には、前記ネジの頭部を当接させる支持プレートの表面と、前記スリーブの端面を当接させる支持プレートの裏面にそれぞれ凹凸を形成しておくのが望ましい。
【００１０】
前記スリーブの他端に、ローラを抜け止めするリム板をそのリム板を貫通してスリーブにねじ込まれるネジで固定して取り付ける場合にも、前記ネジの頭部を当接させるリム板の表面と、前記スリーブの他端を当接させるリム板の裏面にそれぞれ凹凸を形成しておくのが望ましい。
【００１１】
また、スリーブの他端にローラの中心の穴よりも大径の頭部を有するネジをねじ込み、リム板を使わずにそのネジでローラを直接外れ止めすることもでき、この場合にはスリーブの他端に凹凸を形成しておくと好ましい。
【００１２】
いずれの場合も、形成した凹凸によって、支持プレートやリム板に対するネジの頭部の接触部及びスリーブ端面の接触部にスリーブの内、外を連通させる隙間が形成されるようにしておくとなお望ましい。
【００１３】
支持プレートの取り付け部は、幅の一定したものでもよいが、溝に差し込んで固定する場合には、溝に対する差込み部とこの差込み部よりも幅の広い非差込み部を形成し、この差込み部と非差込み部の境界部の上下面に溝の開口縁に当接する段差を付けると好ましい。
【００１４】
また、ローラは摩擦係数が低くて滑り性の良い樹脂、例えば、超高分子量ポリエチレン（分子量が非常に大きい高密度ポリエチレン）やフッ素系樹脂などで形成したものが好ましい。
【００１５】
なお、前記他部材としては、柄を兼ねたホルダにそのホルダの後部に入口を有するＴスロットを設けてそのＴスロットに刃を収納し、その刃をスライダでホルダ先端から出没させる市販品のカッタを使用できる。このカッタのＴスロットの入口部に前記支持プレートの取り付け部を差込み、前記ネジ孔にねじ込んでＴスロットの溝底に当接させる止めネジで取り付け部をＴスロットの開口縁に圧接させてカッタに取り付けると、カッタが回転ベラ兼用の道具になる。この場合にはローラを支持プレートで片持ち支持したシート施工用ローラを用いる。
【００１６】
他部材は糊刷毛、角箆、職人が愛用している他の柄付き道具等の柄付き部材であってもよく、この柄付き部材の柄にあけた孔に前記止めネジを通し、その止めネジを前記柄に添わせた支持プレートの取り付け部のネジ孔にねじ込んで柄付き部材の柄に取り付けることもできる。
【発明の効果】
【００１７】
この発明のシート施工用ローラは、カッタ等の他部材に取り付け可能となし、他部材を柄にして使用するようにしたので、２つの道具を１つに統合してシート施工時に使用する道具数を減らすことが可能になる。
【００１８】
また、カッタ、糊刷毛、固定箆等はシート施工時の使用頻度が高い。この使用頻度の高い道具、例えばカッタにこれも使用頻度の高いシート施工用ローラを取り付けた道具は、シート施工用ローラでシートの型付けや押さえ込みを行った後に道具を持ち替えれば（前後を反転させれば）シートの余縁のトリミングなどを行うことができ、道具交換の動作が省かれて作業効率が大きく向上する。カッタに対するシート施工用ローラの着脱は、特に簡単であり、取付け、取り外しをワンタッチで自由に行える。
【００１９】
また、支持プレートでローラを片持ち支持すると、横向きの力を加えてコーナに押し当てた時に支持プレートがしなり、回転ベラの使い勝手も良くなる。
【００２０】
さらに、この発明のシート施工用ローラは、他部材の柄を共用するのでコストが省かれ、低価格化も実現できる。
【００２１】
この発明のシート施工用ローラをカッタと組み合わせる場合には以下の効果も得られる。
普通、カッタを使用する場合、親指と人差し指、中指でカッタをつまんで操作するが、カッタの後部にローラを取り付けると、必然的に手のひらと薬指と小指とでローラを握ることになるため、カッタの保持形態がつまむから握るに変わり、これにより、操作時の安定性が高まると共に、カッタの固定保持に必要とされていた分だけの力が指先から抜けるため、持ち易さや操作性も良くなり、切ると言う微細かつ微妙な作業がより確実に正確に行えるようになる。また、薬指、小指にローラが引っ掛るため、脚立の上などの高所作業での脱落防止効果も生じる。
【００２２】
このほか、腰袋に入れたカッタを手探りで取り出す場合などに、刃先側か否かを触感で簡単に安全に確認できる利点も生じる。
【００２３】
また、この発明のシート施工用ローラは定規などの滑り性を高めるのにも役立つ。
【００２４】
次に、ローラの中心の穴にローラの回転支軸となるスリーブを挿通し、このスリーブの一端を支持プレートの裏面にネジで固定するシート施工用ローラやスリーブの他端にローラを外れ止めするリム板やネジ止を取り付けたシート施工用ローラは、壁紙やクロス等の施工に利用すると糊を含む溶液がローラに付着し、それが使用後水洗いの手入れを丁寧に行っても完全に糊が除去されないため、僅かに水分に含まれた糊が毛細管現象によってスリーブとローラの間に入り込み、自然乾燥してその糊が固化し、次回のローラ使用時に乾燥固化した糊のために摩擦力が大きくなり、その摩擦力でローラ回転時にスリーブ、スリーブ固定用のネジ、或いはリム板が共回りしてネジが緩み、そのネジ及びローラが外れることがある。
【００２５】
これに対し、支持プレートやリム板の表面と裏面にそれぞれ凹凸を形成したものは、支持プレートとリム板に形成された凸部間の凹部にネジの頭部とスリーブの端面が食い込むためスリーブやリム板の共回りに起因したネジの緩み、それによるネジ及びローラの外れが起こり難い。
【００２６】
前記凹凸によって支持プレートやリム板に対するネジの頭部の接触部とスリーブ端の接触部にスリーブの内外を連通させる隙間が形成されるようにしたものは、毛細管現象などによって糊分を含んだ水分がネジ及びスリーブと支持プレートとの間、ネジ及びスリーブとリム板との間に入り込み易い構造を、ネジ、スリーブ、リム板の共回り防止に逆に応用したものである。ネジ締め、組み立て後も上記の隙間を通ってスリーブの内部に糊を含んだ溶液が確実に滲み込み、浸入した糊が乾燥固化してネジの回転抵抗を高めるので、ネジの緩み止めの効果が特に高く、ローラの脱落防止の信頼性が、ネジ及びスリーブの食い込みによる回り止めと、浸入固化した糊による回り止めの相乗効果によってさらに高まる。
【００２７】
支持プレートの取り付け部は、幅の一定したものでもよいが、溝に差し込んで固定する場合には、溝に対する差込み部とこの差込み部よりも幅の広い非差込み部を形成し、この差込み部と非差込み部の境界部の上下面に溝の開口縁に当接する段差を付けると好ましい。
【発明を実施するための最良の形態】
【００２８】
図１乃至図３にこの発明のシート施工用ローラの実施形態を示す。例示のシート施工用ローラは回転ベラである。この回転ベラ１は、外周を図２に示すように山型（Ｖ字形状）にして箆の機能を持たせたローラ２と、ローラ２の中心の孔に通す支軸３と、その支軸を片持ち支持する支持プレート４と、支持プレート４を固定する止めネジ５とで構成される。
【００２９】
ローラ２は、添加剤を加えて滑り性を高めた超高分子量ポリエチレンで形成されており、転動方向と交差する方向へもスムーズに滑ってコーナによくフィットし、正確な型付けが行える。低摩擦係数で自己潤滑性のある四フッ化エチレン樹脂に代表されるフッソ系樹脂で形成してもよいが、これは材料費が高価になる難点がある。
【００３０】
支軸３は、ローラ２の厚みよりも僅かに長いネジ孔付きスリーブ３ａと、このスリーブ３ａの片端に固定するリム板３ｂと、スリーブ３ａの他端を支持プレート４に固定するネジ３ｃとで構成されている。図の支軸３は、リム板３ｂをネジ３ｄでスリーブ３ａに取り付けているが、リム板３ｂは支軸３にかしめるなどして取外し不可能に取り付けてもよい。また、このリム板３ｂは、ローラ２の振れ止めに有効であるが必須ではない。要は、支軸３でローラ２を外れとガタつきがないように支持できればよい。支持プレート４に対する支軸３の固定もかしめ等で行うことができる。
【００３１】
支持プレート４は、耐腐食性があってしなり易いステンレスのバネ材で形成するのがよい。この支持プレート４の後部側は、貫通したネジ孔６を複数有する取り付け部７として形成されている。
【００３２】
その取り付け部７は、図３（ａ）に示すように幅を一定させたものと、図３（ｂ）に示すように幅を途中から変化させたものが考えられる。図３（ｂ）の取り付け部７は、差込み部７ａの後部に差込み部７ａよりも幅の広い非差込み部７ｂを形成し、その差込み部７ａと非差込み部７ｂの境界部の上下面にストッパとして機能する段差８を生じさせている。
【００３３】
例示のローラ２は、左右の方向性が無く、どちらの端面を右側面、左側面にしてもよい。このローラ２は支持プレート４の右側面、左側面のどちら側にも取り付けることができる。スリーブ３ａも左右の区別がなく、ネジ３ｃ、３ｄも共通ネジである。従って、組み立ての間違いなどは起こらない。
【００３４】
図４は、図３（ｂ）の支持プレート４を有する回転ベラ１をカッタ１０に取り付けた状態を示している。カッタ１０は、市販品の広く普及しているカッタであり、柄を兼ねたホルダ１１に、そのホルダの後部に入口を有するＴスロット１２を設けてそのＴスロット１２に刃１３を収納し、その刃１３をスライダ１４でホルダ１１の先端から出没させる構造になっている。
【００３５】
このカッタ１０のＴスロット１２の入口部に支持プレート４の取り付け部（差込み部７ａ）を差込み、ネジ孔６にねじ込んでＴスロット１２の溝底に当接させる止めネジ５で図５に示すように取り付け部（差込み部７ａ）をＴスロット１２の開口縁に圧接させて、回転ベラ１をカッタ１０に固定する。図３（ｂ）の支持プレート４を備える回転ベラ１は、このときに段差８の部分がＴスロット１２の入口部の縁に当接して支持プレート４の回転拘束がなされ、差込み部７ａとＴスロット１２との間に若干隙間があってもガタつくことがない。また、カッタ１０に対しては、いわゆるワンタッチでの着脱が行え、手軽に使用できる。
【００３６】
なお、Ｔスロット１２の溝幅はカッタのサイズによって変わるが、支軸３を支持プレート４から取り外せるようにしたものは溝幅の変化に対して支持プレート４のみを交換して対応することができる。
【００３７】
図６は、角箆１５の柄の後部に回転ベラ１を取り付けた例を、また、図７は糊刷毛１６の柄の後部に回転ベラ１を取り付けた例を各々示している。両者とも柄の外面に支持プレートの取り付け部７を添わせ、柄に設けた孔に止めネジ５を通し、その止めネジ５の先端を取り付け部７に設けられているネジ孔６にねじ込んで回転ベラ１を柄に固定している。図６、図７は、ローラ２を柄に対する支持プレート４の取付面側に配置しているが、そのローラ２は、柄に対する取付面側とは反対側の面に取り付けることも可能である。
【００３８】
止めネジ５は、ドライバーなどの回転操作具を必要としない図示のつまみ付きネジが好ましい。また、図６、図７のように取り付け部７を単に柄に添わせるだけであれば支持プレートの回り止めのために複数箇所で止めネジによる固定を行うが、柄に溝を掘ってその溝に取り付け部７をきっちりとはめ込む場合には、溝による取り付け部の回転拘束がなされるので、１本の止めネジで固定しても差し支えない。
【００３９】
図８は、定規１７に回転ベラ１を取り付けた例を示している。このように、棒状の柄と言えるものはないが、柄に相当する手で握れる部分を有する定規なども、この発明では柄付き部材と見なす。
【００４０】
ローラ２の中心は定規１７の板厚中心上にある。樹脂板やステンレス板などで形成される定規１７は、滑り性が決してよいとは言えないが、この発明の回転ベラ１を図のようにコーナ部に取り付けると引っ掛り易いコーナのエッジがローラに置き換えられて滑り性が高まり、定規の使い勝手が向上する。
【００４１】
図９は、図１、図２に示したネジ３ｃ、３ｄの緩み止め策の具体例を表している。支持プレート４とリム板３ｂは、図１のスリーブ３ａよりも硬質のハードステンレスなどで形成されるため、それらの表面と裏面にプレス成形などで滑り止めのための凹凸を付けるのは容易でない。そこで、エッチングによって支持プレート４とリム板３ｂの表面に図９（ａ）、（ｂ）に示す凹部１８（黒く塗りつぶした部分）を形成し、また、同じくエッチングによって支持プレート４とリム板３ｂの裏面（ローラの端面を沿わせる側の面）に図９（ｃ）、（ｄ）に示す凹部１９（黒く塗りつぶした部分）を形成している。凹部１８の中心部には放射状配置の細長い凸部２０（凹部の内側に白抜き部）を残している。その凸部２０は、図１、図２に示したネジ３ｃ、３ｄの頭部が接触する部分に形成しており、この凸部２０がそれよりも柔らかいネジ３ｃ、３ｄの頭部に食い込んでネジ３ｃ、３ｄの緩み回転に大きな抵抗が与えられる。
【００４２】
また、凹部１９は図１のスリーブ３ａの端面が接触する部分に形成されており、この凹部１９間に残された放射状配置の細長い凸部２１（凹部間の白抜き部）がスリーブ３ａの端面に食い込んでスリーブ３ａのスリップ回転に大きな抵抗が与えられる。
【００４３】
さらに、隣り合う凸部２０、２０間及び隣り合う凸部２１、２１間には、支持プレート４とリム板３ｂの中心にあけた穴の位置から径方向外方に放射状に延び出す凹部が形成されており、その凹部により回転ベラ組み立て後に凸部２０に対するネジ頭部の接触部と、凸部２１に対するスリーブ端面の接触部にそれぞれスリーブ３ａの内、外を連通させる隙間が形成される。このため、回転ベラの使用を繰り返すとローラなどに付着した糊分を含む溶液が前記の隙間を伝ってスリーブ３ａの内部（ネジとネジ穴の界面）に滲み込み、それが乾燥固化してネジの緩み止めの効果がより高まっていく。
【００４４】
この発明の回転ベラは、図に示した角箆、糊刷毛、定規以外の柄付き部材に取り付けて使用することもできる。
【００４５】
また、この回転ベラは、アルミサッシの網戸に使用されている網縁固定用のゴム紐をサッシの溝に押し込むときの押さえローラ等としても使用でき、その用途はシートの型付けに限定されない。
【００４６】
外周を山形にした既述のローラ２に代えて、図１０及び図１１に示すような円筒状ローラ２２を支持プレート４で回転可能に支持してこの発明のシート施工用ローラを構成してもよい。円筒状ローラ２２は軸心部に芯金２２ａを有しており、ローラの中心の穴の径よりも大径の頭部を有するネジ３ｄをスリーブ端にねじ込むことで既述のリム板を使わずにローラ２の外れを防止することができる。
【００４７】
この円筒状ローラ２２を採用したシート施工用ローラは、狭所に貼られたシートを押さえ込むのに適している。また、図のように円筒状ローラ２２を支持プレート４で片持ち支持したものは、ローラの非支持側の外周縁でシートの直角コーナを型付けすることも出来る。
【００４８】
また、図１２に示すように、同一形状の支持プレート４を平行に並べてこの２枚の支持プレート４、４でローラ２を両持ち支持することもできる。用途によっては、この様な両持ち構造のシート施工用ローラも威力を発揮する。
【００４９】
このほか、図９で説明した凹部１８、１９、凸部２０、２１も図示の形状に限定されない。
【図面の簡単な説明】
【００５０】
【図１】この発明の回転ベラの実施形態を示す分解斜視図
【図２】同上の回転ベラの平面図
【図３】（ａ）この発明の回転ベラの側面図、（ｂ）支持プレートの形状を変えた回転ベラの側面図
【図４】図３（ｂ）の回転ベラをカッタに取り付けた例を示す斜視図
【図５】取り付け部固定部の断面図
【図６】この発明の回転ベラを角箆に取り付けた例を示す斜視図
【図７】この発明の回転ベラを糊刷毛に取り付けた例を示す斜視図
【図８】（ａ）この発明の回転ベラを定規に取り付けた例を示す側面図、（ｂ）同上の定規の正面図
【図９】（ａ）支持プレートの表面に形成した凹部と凸部を示す図、（ｂ）リム板の表面に形成した凹部と凸部を示す図、（ｃ）支持プレートの裏面に形成した凹部と凸部を示す図、（ｄ）リム板の裏面に形成した凹部と凸部を示す図
【図１０】この発明のシート施工用ローラの他の例を示す斜視図
【図１１】図１０のシート施工用ローラの要部の断面図
【図１２】この発明のシート施工用ローラのさらに他の例を示す平面図
【符号の説明】
【００５１】
１  回転ベラ
２  ローラ
３  支軸
３ａ  スリーブ
３ｂ  リム板
３ｃ、３ｄ  ネジ
４  支持プレート
５  止めネジ
６  ネジ孔
７  取り付け部
７ａ  差込み部
７ｂ  非差込み部
８  段差
１０  カッタ
１２  Ｔスロット
１５  角箆
１６  糊刷毛
１７  定規
１８、１９  凹部
２０、２１  凸部
２２  円筒状ローラ
２２ａ  芯金
【図１】
2004216869.tif 000003
【図２】
2004216869.tif 000004
【図３】
2004216869.tif 000005
【図４】
2004216869.tif 000006
【図５】
2004216869.tif 000007
【図６】
2004216869.tif 000008
【図７】
2004216869.tif 000009
【図８】
2004216869.tif 000010
【図９】
2004216869.tif 000011
【図１０】
2004216869.tif 000012
【図１１】
2004216869.tif 000013
【図１２】
2004216869.tif 000014